(57)【要約】【課題】歩行時に大腿を上げる動作を補助することのできる歩行を補助する運動補助着を提供する。【解決手段】運動補助着１には、ズボン形状のボトム１０と、右大腿を上げる動作が行なわれるときに同動作を補助する右側の補助部４０と、左大腿を上げる動作が行なわれるときに同動作を補助する左側の補助部４０とが設けられている。各補助部４０には、内向部分５０、外向部分６０、背面部分７０、および交差部分４１が設けられている。また各補助部４０は、内向始点部分５０Ｘから外向始点部分６０Ｘまでにわたり、かつこれら部分の間において、内向第１部分５０Ａ、内向第２部分５０Ｂ、内向第３部分５０Ｃ、背面中間部分７０Ａ、外向第３部分６０Ｃ、外向第２部分６０Ｂ、および外向第１部分６０Ａを順に通過する１本のベルト形状の部材として構成されている。【選択図】図４
2012214935.tif 000002
【特許請求の範囲】
【請求項１】
歩行を補助する運動補助着において、
大腿の動作を補助する補助部が設けられていること、
この補助部に内向部分、外向部分、および背面部分が設けられていること、
前記内向部分が部分Ａから部分Ｂを介して部分Ｃまでにわたり設けられていること、
前記外向部分が部分Ｄから部分Ｅを介して部分Ｆまでにわたり設けられていること、
前記背面部分が部分Ｃから部分Ｇを介して部分Ｆまでにわたり設けられていること、
前記部分Ａ〜前記部分Ｇがそれぞれ以下の（ａ）〜（ｇ）により規定されること、
（ａ）前記部分Ａは、大腿正面の付け根よりも上方に対応する部分
（ｂ）前記部分Ｂは、大腿正面の付け根に対応する部分
（ｃ）前記部分Ｃは、大腿正面の内側の部分に対応する部分
（ｄ）前記部分Ｄは、大腿正面の付け根よりも上方に対応しかつ前記部分Ａとは別の部分
（ｅ）前記部分Ｅは、大腿正面の付け根に対応する部分
（ｆ）前記部分Ｆは、大腿正面の外側の部分に対応する部分
（ｇ）前記部分Ｇは、大腿背面に対応する部分
ならびに、前記内向部分と前記外向部分とが互いに交差する部分を交差部分として、正面においてウエストから大腿下部までの少なくとも一部分に対応してこの交差部分が設けられていること
を特徴とする歩行を補助する運動補助着。
【請求項２】
請求項１に記載の歩行を補助する運動補助着において、
大腿正面の付け根または大腿正面の付け根付近に対応する部分に前記交差部分が設けられていること
を特徴とする歩行を補助する運動補助着。
【請求項３】
請求項１または２に記載の歩行を補助する運動補助着において、
ボトムとして構成されていること、
前記補助部が前記ボトムの基礎部に取り付けられていること、
ならびに、前記補助部の緊締力が前記基礎部の緊締力よりも大きいこと
を特徴とする歩行を補助する運動補助着。
【請求項４】
請求項３に記載の歩行を補助する運動補助着において、
前記補助部のうちの前記基礎部から独立している部分を独立部分として、前記交差部分にこの独立部分が形成されていること
を特徴とする歩行を補助する運動補助着。
【請求項５】
請求項３または４に記載の歩行を補助する運動補助着において、
前記補助部のうちの前記基礎部から独立している部分を独立部分として、前記内向部分の少なくとも一部にこの独立部分が形成されていること
を特徴とする歩行を補助する運動補助着。
【請求項６】
請求項３〜５のいずれか一項に記載の歩行を補助する運動補助着において、
前記補助部のうちの前記基礎部から独立している部分を独立部分として、前記外向部分の少なくとも一部にこの独立部分が形成されていること
を特徴とする歩行を補助する運動補助着。
【請求項７】
請求項３〜６のいずれか一項に記載の歩行を補助する運動補助着において、
前記背面部分が前記基礎部に接続されていること
を特徴とする歩行を補助する運動補助着。
【請求項８】
請求項３〜７のいずれか一項に記載の歩行を補助する運動補助着において、
前記基礎部において下半身の表面に沿う前記部分Ａから前記部分Ｃまでの長さを第１基準長さとし、前記基礎部において下半身の表面に沿う前記部分Ｄから前記部分Ｆまでの長さを第２基準長さとして、前記内向部分の長さが前記第１基準長さよりも小さいこと、
ならびに、前記外向部分の長さが前記第２基準長さよりも小さいこと
を特徴とする歩行を補助する運動補助着。
【請求項９】
請求項１〜８のいずれか一項に記載の歩行を補助する運動補助着において、
前記部分Ｇが膝の上部付近の部分に対応していること
を特徴とする歩行を補助する運動補助着。
【請求項１０】
請求項１〜９のいずれか一項に記載の歩行を補助する運動補助着において、
右半身または左半身において幅方向の中間に対応する部分に前記交差部分が設けられていること
を特徴とする歩行を補助する運動補助着。
【請求項１１】
請求項１０に記載の運動補助着において、
前記交差部分において前記内向部分と前記外向部分とが互いに接続されていること
を特徴とする歩行を補助する運動補助着。
【請求項１２】
請求項１〜１１のいずれか一項に記載の歩行を補助する運動補助着において、
前記内向部分に生じる張力と前記外向部分に生じる張力との差が所定範囲内に収められるように前記内向部分および前記外向部分が構成されていること
を特徴とする歩行を補助する運動補助着。
【発明の詳細な説明】
【技術分野】
【０００１】
本発明は、歩行を補助する運動補助着に関する。
【背景技術】
【０００２】
特許文献１には、緊締力の強い生地を股関節の回りに配置することにより、股関節の動きに関連する筋肉に負荷を与えるボトムが記載されている。使用者は、この負荷に抗して脚を動かすことにより、股関節の動きに関連する筋肉を鍛錬することができる。
【先行技術文献】
【特許文献】
【０００３】
【特許文献１】特開２００２−２１２８１４号公報
【発明の概要】
【発明が解決しようとする課題】
【０００４】
ところで、足腰の筋肉（例えば、大腰筋および大腿四頭筋）は加齢により次第に衰える。そして、足腰の筋肉が衰えたときには、歩行時に大腿を上げることが難しくなる。この場合、歩行すること自体が負担となり、これにより歩行の頻度が低下して足腰の筋肉がさらに衰えるおそれがある。
【０００５】
一方、特許文献１のボトムのように、股関節の動きに関連する筋肉を鍛えるボトムは、足腰の筋肉が衰えていない使用者の使用には適しているものの、足腰の筋肉が衰えた使用者の歩行を補助するものとはならない。すなわち、ボトムから脚に付与される負荷により大腿を上げる動作が妨げられるため、足腰の筋力が衰えた使用者においては上記ボトムを着用することにより歩行が一層困難になると考えられる。
【０００６】
本発明は上記課題を解決するためになされたものであり、その目的は、大腿を上げる動作を補助することのできる歩行を補助する運動補助着を提供することにある。
【課題を解決するための手段】
【０００７】
上記目的を達成するための手段を以下に記載する。
（１）請求項１に記載の発明は、歩行を補助する運動補助着において、大腿の動作を補助する補助部が設けられていること、この補助部に内向部分、外向部分、および背面部分が設けられていること、前記内向部分が部分Ａから部分Ｂを介して部分Ｃまでにわたり設けられていること、前記外向部分が部分Ｄから部分Ｅを介して部分Ｆまでにわたり設けられていること、前記背面部分が部分Ｃから部分Ｇを介して部分Ｆまでにわたり設けられていること、前記部分Ａ〜前記部分Ｇがそれぞれ以下の（ａ）〜（ｇ）により規定されること、
（ａ）前記部分Ａは、大腿正面の付け根よりも上方に対応する部分
（ｂ）前記部分Ｂは、大腿正面の付け根に対応する部分
（ｃ）前記部分Ｃは、大腿正面の内側の部分に対応する部分
（ｄ）前記部分Ｄは、大腿正面の付け根よりも上方に対応しかつ前記部分Ａとは別の部分
（ｅ）前記部分Ｅは、大腿正面の付け根に対応する部分
（ｆ）前記部分Ｆは、大腿正面の外側の部分に対応する部分
（ｇ）前記部分Ｇは、大腿背面に対応する部分
ならびに、前記内向部分と前記外向部分とが互いに交差する部分を交差部分として、ならびに、前記内向部分と前記外向部分とが互いに交差する部分を交差部分として、正面においてウエストから大腿下部までの少なくとも一部分に対応してこの交差部分が設けられていることこの交差部分が設けられていることを要旨としている。
【０００８】
上記発明によれば、大腿を上げる動作が行なわれるとき、大腿を上げる方向の動作が補助部により補助されるため、大腰筋および大腿四頭筋の負荷が軽減される。このため、大腿を上げる動作を容易に行なうことができる。なお、交差部分の構成には、複数枚の生地が互いに重ね合わせられた構成、および１枚の生地が内向部分および外向部分に共通して用いられる構成が含まれる。
【０００９】
（２）請求項２に記載の発明は、請求項１に記載の歩行を補助する運動補助着において、大腿正面の付け根または大腿正面の付け根付近に対応する部分に前記交差部分が設けられていることを要旨としている。
【００１０】
上記発明によれば、交差部分が付け根から遠い部分に設けられる構成と比較して、大腿の背面に設けられる部分Ｇを上方かつ前方に引き上げる力が大きくなるため、大腿を上げる方向の動作を補助する力が大きくなる。
【００１１】
（３）請求項３に記載の発明は、請求項１または２に記載の歩行を補助する運動補助着において、ボトムとして構成されていること、前記補助部が前記ボトムの基礎部に取り付けられていること、ならびに、前記補助部の緊締力が前記基礎部の緊締力よりも大きいことを要旨としている。
【００１２】
（４）請求項４に記載の発明は、請求項３に記載の歩行を補助する運動補助着において、前記補助部のうちの前記基礎部から独立している部分を独立部分として、前記交差部分にこの独立部分が形成されていることを要旨としている。
【００１３】
大腿正面の付け根に対応する部分に交差部分が設けられる運動補助着においては、脚が前方かつ上方に向けて動かされるとき、大腿正面の付け根に交差部分が押し付けられるため、股関節の屈曲運動が阻害される。上記発明によれば、脚が前方かつ上方に向けて動かされるとき、交差部分が大腿正面の付け根から離れるため、交差部分により股関節の屈曲運動が阻害されることが抑制される。
【００１４】
（５）請求項５に記載の発明は、請求項３または４に記載の歩行を補助する運動補助着において、前記補助部のうちの前記基礎部から独立している部分を独立部分として、前記内向部分の少なくとも一部にこの独立部分が形成されていることを要旨としている。
【００１５】
上記発明によれば、内向部分に生じる張力が基礎部に分散することが抑制されるため、内向部分に独立部分が形成されていない構成と比較して、大腿を上げる方向の動作を補助する力が大きくなる。
【００１６】
（６）請求項６に記載の発明は、請求項３〜５のいずれか一項に記載の歩行を補助する運動補助着において、前記補助部のうちの前記基礎部から独立している部分を独立部分として、前記外向部分の少なくとも一部にこの独立部分が形成されていることを要旨としている。
【００１７】
上記発明によれば、外向部分に生じる張力が基礎部に分散することが抑制されるため、外向部分に独立部分が形成されていない構成と比較して、大腿を上げる方向の動作を補助する力が大きくなる。
【００１８】
（７）請求項７に記載の発明は、請求項３〜６のいずれか一項に記載の歩行を補助する運動補助着において前記背面部分が前記基礎部に接続されていることを要旨としている。
上記発明によれば、背面部分が基礎部から独立している構成とは異なり、背面部分が基礎部からずれることに起因して、大腿を上げる方向の動作を補助する力が小さくなることが抑制される。
【００１９】
（８）請求項８に記載の発明は、請求項３〜７のいずれか一項に記載の歩行を補助する運動補助着において、前記基礎部において下半身の表面に沿う前記部分Ａから前記部分Ｃまでの長さを第１基準長さとし、前記基礎部において下半身の表面に沿う前記部分Ｄから前記部分Ｆまでの長さを第２基準長さとして、前記内向部分の長さが前記第１基準長さよりも小さいこと、ならびに、前記外向部分の長さが前記第２基準長さよりも小さいことを要旨としている。
【００２０】
上記発明によれば、内向部分の長さが第１基準長さよりも小さく、かつ外向部分の長さが第２基準長さよりも小さいため、着用者が運動補助着を着用したとき、内向部分および外向部分が基礎部よりも伸長する。このため、内向部分および外向部分に生じる張力がより大きくなる。
【００２１】
（９）請求項９に記載の発明は、請求項１〜８のいずれか一項に記載の歩行を補助する運動補助着において、前記部分Ｇが膝の上部付近の部分に対応していることを要旨としている。
【００２２】
上記発明によれば、大腿を上げる動作が行なわれるとき、膝の上部付近が部分Ｇにより引き上げられるため、部分Ｇが膝の上部付近よりもさらの上方の部分に対応している構成と比較して、大腿を上げることを補助する効果が高くなる。
【００２３】
（１０）請求項１０に記載の発明は、請求項１〜９のいずれか一項に記載の歩行を補助する運動補助着において、右半身または左半身において幅方向の中間に対応する部分に前記交差部分が設けられていることを要旨としている。
【００２４】
上記発明によれば、大腿に対して上方かつ外側に向けて作用する内向部分の張力と、大腿に対して上方かつ内側に向けて作用する外向部分の張力との間に大きな差が生じることが抑制されるため、歩行時に大腿が内側または外側に振れにくくなる。
【００２５】
（１１）請求項１１に記載の発明は、請求項１０に記載の運動補助着において、前記交差部分において前記内向部分と前記外向部分とが互いに接続されていることを要旨としている。
【００２６】
上記発明によれば、交差部分において内向部分と外向部分とが互いに接続されていることにより、内向部分と外向部分との相対的な位置が大きくずれることが抑制されるため、大腿を上げる方向の動作を補助する効果が安定して得られる。
【００２７】
（１２）請求項１２に記載の発明は、請求項１〜１１のいずれか一項に記載の歩行を補助する運動補助着において、前記内向部分に生じる張力と前記外向部分に生じる張力との差が所定範囲内に収められるように前記内向部分および前記外向部分が構成されていることを要旨としている。
【００２８】
上記発明によれば、着用者が運動補助着を着用したときに内向部分から大腿に付与される力と外向部分から大腿に付与される力との差が過度に大きくなることが抑制されるため、歩行時に大腿が内側または外側に振れにくくなる。
【発明の効果】
【００２９】
本発明によれば、大腿を上げる動作を補助することのできる歩行を補助する運動補助着を提供することができる。
【図面の簡単な説明】
【００３０】
【図１】本発明の一実施形態の歩行を補助する運動補助着について、その正面構造を示す正面図。
【図２】同実施形態の運動補助着について、その背面構造を示す背面図。
【図３】同実施形態の運動補助着について、その分解斜視構造を示す分解斜視図。
【図４】同実施形態の運動補助着について、腹当部の表側の生地が省略された状態の正面構造を示す正面図。
【図５】同実施形態の運動補助着について、その機能を模式的に示す作用図。
【発明を実施するための形態】
【００３１】
本実施形態では、人体に密着する運動補助着として本発明の「歩行を補助する運動補助着」を具体化した一例を示している。なお、図１、図２、および図４においては、生地の裏側に設けられた別の生地を破線で示している。また、図１、図２、図４、および図５においては、ユーザに着用された状態の運動補助着１を示している。
【００３２】
ここで、身体の部位について以下のように用語を定義する。
・「前方」は、身体の背面から正面に向かう方向を示す。
・「後方」は、身体の正面から背面に向かう方向を示す。
・「上方」は、足から頭に向かう方向を示す。
・「下方」は、頭から足に向かう方向を示す。
・「左方」は、使用者からみて右半身から左半身に向かう方向を示す。
・「右方」は、使用者からみて左半身から右半身に向かう方向を示す。
・「奥行き方向」は、前方および後方に沿う方向を示す。
・「高さ方向」は、上方および下方に沿う方向を示す。
・「幅方向」は、右方および左方に沿う方向を示す。
・「内側」は、幅方向においての身体の中心側を示す。      
・「外側」は、幅方向においての身体の中心側とは反対側を示す。
・「下腹部」は、腹部のうちのウエストよりも下方の部分を示す。
・「臀部」は、体幹の背面においての骨盤およびその付近の部分を示す。
・「膝」は、下肢においての膝関節およびその付近の部分を示す。
・「大腿」は、下肢においての膝関節よりも上方の部分を示す。
・「下腿」は、下肢においての膝関節よりも下方の部分を示す。
・「内股」は、大腿の内側の側面の部分を示す。
・「外股」は、大腿の外側の側面の部分を示す。
【００３３】
図１〜図３を参照して、運動補助着１の構成について説明する。なお、後述する図３に基づく生地の種類の説明までの部分において、参照する図面を明記していない文章は、図１に示される構成についての説明を記述しているものとする。
【００３４】
運動補助着１には、ズボン形状のボトム１０と、右大腿を上げる動作が行なわれるときに同動作を補助する右側の補助部４０と、左大腿を上げる動作が行なわれるときに同動作を補助する左側の補助部４０とが設けられている。各補助部４０は、図１に示されるボトム１０の正面側に対応する部分、および図２に示されるボトム１０の背面側に対応する部分を含めて構成されている。
【００３５】
ボトム１０には、右大腿および左大腿を覆いボトム１０の主要な部分を構成する基礎部２０と、基礎部２０の表側に縫い付けられて下腹部を覆う腹当部３０と、基礎部２０の上縁に縫い付けられてウエストを覆うウエスト部１１と、基礎部２０において股間に対応する部分に縫い付けられて股間を覆う股布１２とが設けられている。
【００３６】
基礎部２０には、図１に示される腰および大腿の正面を覆う正面部２１と、図２に示される臀部および大腿の背面を覆う背面部２２とが設けられている。正面部２１および背面部２２は、それぞれ身体の中心に対して左右対称の形状を有する２枚の生地が互いに縫い合わせられることにより構成されている。
【００３７】
図３に示されるように、腹当部３０には、互いに重ね合わせられた同一形状の２枚の生地が設けられている。また、腹当部３０の表側の生地と裏側の生地との間には、補助部４０を構成する外向部分６０の一部分が設けられている。
【００３８】
各補助部４０には、図１に示される大腿の正面に対応する部分おいて、上方から下方に向かうにつれて外側から内側に向けて傾斜する内向部分５０が設けられている。また、図１に示される大腿の正面に対応する部分において、上方から下方に向かうにつれて内側から外側に傾斜する外向部分６０が設けられている。また、図２に示される大腿の背面に対応する部分において、膝裏の上付近の部分を外股から内股までにわたりまたぐ背面部分７０が設けられている。
【００３９】
内向部分５０と外向部分６０とは、大腿の正面に対応する部分において互いに重ね合わせられている。内向部分５０および外向部分６０が重ね合わせられた部分（以下、「交差部分４１」）は、右半身または左半身の幅方向の中間かつ大腿正面の付け根の部分に対応して設けられている。
【００４０】
補助部４０は、内向部分５０、背面部分７０、および外向部分６０が順につなぎ合わせられた１本のベルト形状の部分として構成されている。また、右側の補助部４０と左側の補助部４０とは互いに独立して構成されている。
【００４１】
図３を参照して、運動補助着１を構成する各部分の生地の種類について説明する。
運動補助着１は、緊締力の強さが互いに異なる３種類の生地により構成されている。すなわち、緊締力が大きい強緊締力生地、緊締力が小さい弱緊締力生地、および緊締力が大きくかつ伸縮性の小さいパワー生地により構成されている。
【００４２】
基礎部２０の各部分すなわち、正面部２１および背面部２２、ならびに腹当部３０の表側の生地は、弱緊締力生地により構成されている。弱緊締力生地としては、一般の肌着に用いられる生地と同程度の伸縮性を有するものが用いられている。
【００４３】
補助部４０の各部分すなわち、内向部分５０、外向部分６０、および背面部分７０は、強緊締力生地により構成されている。強緊締力生地としては、展開された状態において長手方向の伸縮性よりも短手方向の伸縮性が小さい帯状の生地が用いられている。
【００４４】
腹当部３０の裏側の生地は、パワー生地により構成されている。パワー生地としては、強緊締力生地と同程度の緊締力を有し、かつ強緊締力生地よりも伸縮性が小さい生地が用いられている。
【００４５】
運動補助着１の基礎部２０、腹当部３０、および補助部４０以外の各部分は、それぞれ次のように構成されている。すなわち、ウエスト部１１は平ゴムにより構成されている。また、股布１２は弱緊締力生地により構成されている。
【００４６】
図１〜図３を参照して、運動補助着１の各部分の縁の種類について説明する。
図３の基礎部２０の縁について次のように定義する。
（ａ）基礎部２０の上部の縁を「上側縁２３」とする。
（ｂ）正面部２１と背面部２２との内側下部の境界を「内側縁２４」とする。
（ｃ）正面部２１と背面部２２との外側の境界を「外側縁２５」とする。
（ｄ）上側縁２３と内側縁２４とをつなぐ内側上部の縁を「中間縁２６」とする。
【００４７】
内側縁２４には、正面部２１の内側の縁および背面部２２の内側の縁が含まれるものとする。また、外側縁２５には、正面部２１の内側の縁および背面部２２の外側の縁が含まれるものとする。
【００４８】
図１の腹当部３０の縁について次のように定義する。
（ａ）腹当部３０の上部の縁を「上側縁３１」とする。
（ｂ）腹当部３０の下部の縁を「下側縁３２」とする。
（ｃ）上側縁３１と下側縁３２とをつなぐ各縁を「外縦縁３３」とする。
（ｄ）各外縦縁３３のうち外向部分６０に対応する部分を「中間縁３４」とする。
【００４９】
図１の内向部分５０の縁について次のように定義する。
（ａ）内向部分５０の上部の縁を「上側縁５１」とする。
（ｂ）内向部分５０の下部の縁を「下側縁５２」とする。
（ｃ）上側縁５１と下側縁５２とをつなぐ内側の縁を「内縦縁５３」とする。
（ｄ）上側縁５１と下側縁５２とをつなぐ外側の縁を「外縦縁５４」とする。
（ｅ）各縦縁５３，５４のうちの外向部分６０と対応する部分を「交差縁５５」とする。
【００５０】
図１の外向部分６０の縁について次のように定義する。
（ａ）外向部分６０の上部の縁を「上側縁６１」とする。
（ｂ）外向部分６０の下部の縁を「下側縁６２」とする。
（ｃ）上側縁６１と下側縁６２とをつなぐ内側の縁を「内縦縁６３」とする。
（ｄ）上側縁６１と下側縁６２とをつなぐ外側の縁を「外縦縁６４」とする。
（ｅ）各縦縁６３，６４のうちの内向部分５０と対応する部分を「交差縁６５」とする。
【００５１】
図２の背面部分７０の縁について次のように定義する。
（ａ）背面部分７０の上部の縁を「上側縁７１」とする。
（ｂ）背面部分７０の下部の縁を「下側縁７２」とする。
（ｃ）上側縁７１と下側縁７２とをつなぐ内側の縁を「内縦縁７３」とする。
（ｄ）上側縁７１と下側縁７２とをつなぐ外側の縁を「外縦縁７４」とする。
【００５２】
図１〜図３を参照して、運動補助着１の各部分の縫い合わせについて説明する。
図１の腹当部３０の各縁は次のように各部分に縫い付けられている。
（ａ）上側縁３１は、ウエスト部１１に縫い付けられている。
（ｂ）下側縁３２は、股布１２に縫い付けられている。
（ｃ）外縦縁３３は、基礎部２０の中間縁２６に縫い付けられている。
【００５３】
運動補助着１においては、外縦縁３３の全体が正面部２１に縫い付けられている。また、補助部４０の外向部分６０が腹当部３０の表側の生地と裏側の生地との間に設けられている（図３）。このため、外向部分６０において外縦縁３３と重なり合う部分（以下、「縫付部分６６」）の全体が外縦縁３３とともに基礎部２０の正面部２１に縫い付けられている。
【００５４】
図１の内向部分５０の各縁は次のように各部分に縫い付けられている。
（ａ）上側縁５１は、基礎部２０の外側縁２５に縫い付けられている。
（ｂ）下側縁５２は、基礎部２０の内側縁２４に縫い付けられている。
（ｃ）下側縁５２は、背面部分７０の内縦縁７３に縫い付けられている。
（ｄ）内縦縁５３の交差縁５５は、外向部分６０に縫い付けられている。
（ｅ）外縦縁５４の交差縁５５は、外向部分６０に縫い付けられている。
（ｆ）内縦縁５３は、基礎部２０から独立している。
（ｇ）外縦縁５４は、基礎部２０から独立している。
【００５５】
内向部分５０においては、上側縁５１、下側縁５２、内縦縁５３、および外縦縁５４により囲まれる部分が基礎部２０に縫い付けられていない。すなわち、同部分が基礎部２０から独立している。
【００５６】
図１の外向部分６０の各縁は次のように各部分に縫い付けられている。
（ａ）上側縁６１は、腹当部３０の上側縁３１に縫い付けられている。
（ｂ）上側縁６１は、ウエスト部１１に縫い付けられている。
（ｃ）下側縁６２は、基礎部２０の外側縁２５に縫い付けられている。
（ｄ）下側縁６２は、背面部分７０の外縦縁７４に縫い付けられている。
（ｅ）内縦縁６３の交差縁６５は、内向部分５０に縫い付けられている。
（ｆ）外縦縁６４の交差縁６５は、内向部分５０に縫い付けられている。
（ｇ）縫付部分６６を除く内縦縁６３は、基礎部２０から独立している。
（ｈ）縫付部分６６を除く外縦縁６４は、基礎部２０から独立している。
【００５７】
外向部分６０においては、上側縁６１、下側縁６２、内縦縁６３、および外縦縁６４により囲まれる部分のうちの縫付部分６６を除く部分が基礎部２０に縫い付けられていない。すなわち、同部分が基礎部２０から独立している。
【００５８】
図２の背面部分７０の各縁は次のように各部分に縫い付けられている。
（ａ）上側縁７１は、基礎部２０に縫い付けられている。
（ｂ）下側縁７２は、基礎部２０に縫い付けられている。
（ｃ）内縦縁７３は、基礎部２０の内側縁２４に縫い付けられている。
（ｄ）外縦縁７４は、基礎部２０の外側縁２５に縫い付けられている。
【００５９】
図４を参照して、補助部４０と身体の部位との対応について説明する。なお、同図においては、腹当部３０の表側の生地を省略した状態の運動補助着１を示している。また、一点鎖線は大腿の付け根に対応する部分を示している。
【００６０】
補助部４０は、内向始点部分５０Ｘ、内向終点部分５０Ｙ、内向第１部分５０Ａ、内向第２部分５０Ｂ、内向第３部分５０Ｃ、外向始点部分６０Ｘ、外向終点部分６０Ｙ、外向第１部分６０Ａ、外向第２部分６０Ｂ、外向第３部分６０Ｃ、および背面中間部分７０Ａに対応して設けられている。
【００６１】
上記各部分の内容を以下に示す。
・内向始点部分５０Ｘは、下腹部の側面と対応する部分を示す。
・内向終点部分５０Ｙは、大腿下部の内側面と対応する部分を示す。
・内向第１部分５０Ａは、大腿正面の付け根よりも上方の部分と対応する部分を示す。
・内向第２部分５０Ｂは、大腿正面の付け根と対応する部分を示す。
・内向第３部分５０Ｃは、大腿正面の内側の部分かつ大腿下部と対応する部分を示す。
・外向始点部分６０Ｘは、下腹部の上部と対応する部分を示す。
・外向終点部分６０Ｙは、大腿下部の外側面と対応する部分を示す。
・外向第１部分６０Ａは、大腿正面の付け根よりも上方の部分と対応する部分を示す。
・外向第２部分６０Ｂは、大腿正面の付け根と対応する部分を示す。
・外向第３部分６０Ｃは、大腿正面の外側の部分かつ大腿下部と対応する部分を示す。
・背面中間部分７０Ａは、大腿背面かつ大腿下部に対応する部分を示す。
【００６２】
内向第１部分６０Ａおよび外向第１部分６０Ａの相互の関係について、外向第１部分６０Ａは、内向第１部分５０Ａよりも内側に位置している。内向第２部分５０Ｂおよび外向第２部分６０Ｂの相互の関係について、外向第２部分６０Ｂは、内向第２部分５０Ｂよりも内側に位置している。
【００６３】
内向第３部分５０Ｃは、内向部分５０の下側縁５２と背面部分７０の内縦縁７３との境界部分に対応している。また、外向第３部分６０Ｃは、外向部分６０の下側縁６２と背面部分７０の外縦縁７４との境界部分に対応している。
【００６４】
補助部４０は次のように上記各部分に対応している。
内向部分５０は、内向始点部分５０Ｘから内向終点部分５０Ｙまでにわたり、かつ内向第１部分５０Ａ、内向第２部分５０Ｂ、および内向第３部分５０Ｃを順に通過して設けられている。
【００６５】
外向部分６０は、外向始点部分６０Ｘから外向終点部分６０Ｙまでにわたり、かつ外向第１部分６０Ａ、外向第２部分６０Ｂ、および外向第３部分６０Ｃを順に通過して設けられている。
【００６６】
背面部分７０は、内向終点部分５０Ｙから外向終点部分６０Ｙまでにわたり、かつ背面中間部分７０Ａを通過して設けられている。背面中間部分７０Ａの高さ方向の中心は、内向終点部分５０Ｙの高さ方向の中心、および外向終点部分６０Ｙの高さ方向の中心よりも下方に位置している。
【００６７】
以上のように補助部４０は、内向始点部分５０Ｘから外向始点部分６０Ｘまでにわたり、かつこれら部分の間において、内向第１部分５０Ａ、内向第２部分５０Ｂ、内向第３部分５０Ｃ、背面中間部分７０Ａ、外向第３部分６０Ｃ、外向第２部分６０Ｂ、および外向第１部分６０Ａを順に通過する１本のベルト形状の部材として構成されている。
【００６８】
なお、内向第１部分５０Ａは「部分Ａ」に相当する。また、内向第２部分５０Ｂは「部分Ｂ」に相当する。また、内向第３部分５０Ｃは「部分Ｃ」に相当する。また、外向第１部分６０Ａは「部分Ｄ」に相当する。また、外向第２部分６０Ｂは「部分Ｅ」に相当する。また、外向第３部分６０Ｃは「部分Ｆ」に相当する。また、背面中間部分７０Ａは「部分Ｇ」に相当する。
【００６９】
運動補助着１の各部の長さについて説明する。
ここで、運動補助着１の各部分の長さを次のように定義する。
（ａ）内向部分５０の内向始点部分５０Ｘから内向終点部分５０Ｙまでの長さを「内向全体長さＬＭ１」とする。
（ｂ）内向部分５０の内向始点部分５０Ｘから外向部分６０の上側の交差縁６５までの長さを「内向上部長さＬＭ２」とする。
（ｃ）外向部分６０の外向始点部分６０Ｘから外向終点部分６０Ｙまでの長さを「外向全体長さＬＮ１」とする。
（ｄ）外向部分６０の外向始点部分６０Ｘから内向部分５０の上側の交差縁５５までの長さを「外向上部長さＬＮ２」とする。
（ｅ）ボトム１０において内向始点部分５０Ｘから内向終点部分５０Ｙまでに対応する部分の長さを「第１基準長さＬＭＸ」とする。
（ｆ）ボトム１０において外向始点部分６０Ｘから外向終点部分６０Ｙまでに対応する部分の長さを「第２基準長さＬＮＸ」とする。
【００７０】
内向部分５０は、着用者が運動補助着１を着用していない状態、すなわち内向部分５０およびボトム１０が着用者の身体に合わせて伸長していない状態において、内向全体長さＬＭ１が第１基準長さＬＭＸよりも短くなるように構成されている。一方、着用者が運動補助着１を着用している状態においては、内向部分５０およびボトム１０が伸長するため、内向全体長さＬＭ１と第１基準長さＬＭＸとが互いに等しくなる。
【００７１】
外向部分６０は、着用者が運動補助着１を着用していない状態、すなわち外向部分６０およびボトム１０が着用者の身体に合わせて伸長していない状態において、外向全体長さＬＮ１が第２基準長さＬＮＸよりも短くなるように構成されている。一方、着用者が運動補助着１を着用している状態においては、外向部分６０およびボトム１０が伸長するため、外向全体長さＬＮ１と第２基準長さＬＮＸとが互いに等しくなる。
【００７２】
運動補助着１においては、着用者が運動補助着１を着用したときに内向部分５０および外向部分６０に生じる張力が実質的に同じ大きさとなるように補助部４０が構成されている。
【００７３】
すなわち、補助部４０において以下の（構成Ａ）〜（構成Ｄ）が採用されている。
（構成Ａ）内向上部長さＬＭ２と外向上部長さＬＮ２とが略同じ大きさに設定されていること。
（構成Ｂ）交差部分４１が右半身または左半身の幅方向の中間かつ大腿正面の付け根の部分に対応して設けられていること。
（構成Ｃ）内向部分５０の内向始点部分５０Ｘと外向部分６０の外向始点部分６０Ｘとが高さ方向において略同じ位置に設けられていること。
（構成Ｄ）内向部分５０の内向終点部分５０Ｙと外向部分６０の外向終点部分６０Ｙとが高さ方向において略同じ位置に設けられていること。
【００７４】
図５を参照して、補助部４０の歩行補助機能について説明する。同図においては、右脚の動作にともない補助部４０から右脚に付与される力を示している。なお、左脚については、右脚の動作に準じた態様で補助部４０から力が付与されるため、左脚の動作の図示を省略している。
【００７５】
図５（ａ）に示されるように、着用者がつま先を揃えた立位の状態のとき、内向部分５０には、矢印ＡＮの方向に作用する張力、すなわち大腿の下部内側から大腿の上部外側に向かう張力が生じる。また外向部分６０には、矢印ＡＥの方向に作用する張力、すなわち大腿の下部外側から大腿の上部内側に向かう張力が生じる。
【００７６】
図５（ｂ）に示されるように、着用者が図５（ａ）の立位の姿勢から矢印ＰＷの方向に大腿を動かして一歩を踏み出すとき、すなわち右足裏の全体が地面に設置した状態から右足裏を地面から離すとき、大腰筋および大腿四頭筋の作用により大腿が上方かつ前方に向けて動かされる。
【００７７】
このとき、背面部分７０には内向部分５０の張力および外向部分６０の張力が付与されているため、大腿の上方への移動が背面部分７０の張力により補助される。すなわち大腿を上方かつ前方に上げる大腰筋および大腿四頭筋の動作が補助部４０により補助される。
【００７８】
補助部４０は、このような大腿の動作の補助に加えて大腿の鍛錬にも寄与する。
歩行周期の右脚の立脚期において、着用者が右足を体幹よりも前方から体幹よりも後方に移動させるとき、すなわち右足裏で地面を蹴りだすとき、ハムストリングスの作用により大腿が後方に向けて動かされる。
【００７９】
このとき、背面部分７０には内向部分５０の張力および外向部分６０の張力が付与されているため、大腿の後方への移動が背面部分７０の張力により妨げられる。すなわち、補助部４０の張力が大腿の動作に対する負荷として作用する。このため、後方に向かう大腿の動作にともないハムストリングスが鍛錬される。
【００８０】
（実施形態の効果）
本実施形態の運動補助着１によれば以下の効果が得られる。
（１）運動補助着１には、大腿の動作を補助する補助部４０が設けられている。また補助部４０には、内向部分５０、外向部分６０、背面部分７０、および交差部分４１が設けられている。
【００８１】
この構成によれば、大腿を上げる動作が行なわれるとき、同動作が補助部４０により補助されるため、大腰筋および大腿四頭筋の負荷が軽減される。このため、大腿を上げる動作を容易に行なうことができる。
【００８２】
（２）運動補助着１においては、大腿の付け根と対応する部分に内向部分５０と外向部分６０とが交差する交差部分４１が設けられている。この構成によれば、交差部分４１が付け根から遠い部分に設けられる構成と比較して、背面部分７０を上方かつ前方に引き上げる力が大きくなるため、大腿を上げる方向の動作を補助する力が大きくなる。  
【００８３】
（３）運動補助着１においては、大腿背面に対応する背面部分７０を含めて補助部４０が構成されている。この構成によれば、大腿を後ろに振り上げるとき、補助部４０により大腿に負荷がかけられるため、ハムストリングスが鍛えられる。
【００８４】
（４）運動補助着１においては、交差部分４１に独立部分が形成されている。すなわち交差部分４１において、交差縁５５、交差縁６５、およびこれら交差縁５５，６５に囲まれる部分が基礎部２０から独立している。
【００８５】
この構成によれば、脚が前方かつ上方に向けて動かされるとき、交差部分４１が大腿正面の付け根から離れるため、交差部分４１により股関節の屈曲運動が阻害されることが抑制される。
【００８６】
（５）運動補助着１においては、内向部分５０に独立部分が形成されている。すなわち内向部分５０において、上側縁５１、下側縁５２、内縦縁５３、および外縦縁５４により囲まれる部分、内縦縁５３、および外縦縁５４が基礎部２０から独立している。
【００８７】
この構成によれば、内向部分５０に生じる張力が基礎部２０に分散することが抑制されるため、内向部分５０に独立部分が形成されていない構成と比較して、大腿を上げる方向の動作を補助する力が大きくなる。
【００８８】
（６）運動補助着１においては、外向部分６０に独立部分が形成されている。すなわち外向部分６０において、上側縁６１、下側縁６２、内縦縁６３、および外縦縁６４により囲まれる部分のうちの縫付部分６６を除く部分、縫付部分６６を除く内縦縁６３、および縫付部分６６を除く外縦縁６４が基礎部２０から独立している。
【００８９】
この構成によれば、外向部分６０に生じる張力が基礎部２０に分散することが抑制されるため、外向部分６０に独立部分が形成されていない構成と比較して、大腿を上げる方向の動作を補助する力が大きくなる。
【００９０】
（７）運動補助着１においては、背面部分７０の縁の全体が基礎部２０に接続されている。すなわち、上側縁７１、下側縁７２、内縦縁７３、および外縦縁７４が基礎部２０に縫い付けられている。
【００９１】
この構成によれば、背面部分７０が基礎部２０から独立している構成とは異なり、背面部分７０が基礎部２０からずれることに起因して、大腿を上げる方向の動作を補助する力が小さくなることが抑制される。また、着用者が運動補助着１を着用するにあたり、背面部分７０が足に引っ掛かることが抑制される。
【００９２】
（８）運動補助着１においては、内向部分５０の内向全体長さＬＭ１が基礎部２０の第１基準長さＬＭＸよりも小さく、かつ外向部分６０の外向全体長さＬＮ１が基礎部２０の第２基準長さＬＮＸよりも小さい。
【００９３】
この構成によれば、着用者が運動補助着１を着用したとき、内向部分５０および外向部分６０が基礎部２０よりも伸長するため、内向部分５０および外向部分６０に生じる張力がより大きくなる。
【００９４】
（９）運動補助着１においては、背面部分７０の背面中間部分７０Ａが膝の上部付近に対応して設けられている。この構成によれば、大腿を上げる動作が行なわれるとき、膝の上部付近が背面中間部分７０Ａにより引き上げられるため、背面中間部分７０Ａが膝の上部付近よりもさらの上方の部分に対応している構成と比較して、大腿を上げる方向の動作を補助する効果が高くなる。
【００９５】
（１０）運動補助着１においては、右半身および左半身の幅方向の中間かつ大腿正面の付け根の部分に対応して交差部分４１が設けられている。
この構成によれば、大腿に対して上方かつ外側に向けて作用する内向部分５０の張力と、大腿に対して上方かつ内側に向けて作用する外向部分６０の張力との間に大きな差が生じることが抑制される。このため、歩行時に大腿が内側または外側に振れにくくなる。
【００９６】
（１１）運動補助着１においては、内向部分５０と外向部分６０とが交差部分４１において互いに縫い合わせられている。この構成によれば、内向部分５０と外向部分６０との相対的な位置が大きくずれることが抑制されるため、大腿を上げる方向の動作を補助する効果が安定して得られる。
【００９７】
（１２）運動補助着１においては、着用者が着用したときに内向部分５０および外向部分６０に生じる張力が実質的に同じ大きさとなるように補助部４０が構成されている。この構成によれば、着用者が運動補助着１を着用したときに内向部分５０から大腿に付与される力と外向部分６０から大腿に付与される力との差が過度に大きくなることが抑制される。このため、歩行時に大腿が内側または外側に振れにくくなる。
【００９８】
（１３）運動補助着１においては、腹当部３０の表側の生地と裏側の生地との間に外向部分６０の一部分が設けられている。また、外向部分６０の縫付部分６６が基礎部２０の中間縁２６および腹当部３０の中間縁３４に縫い付けられている。この構成によれば、股関節を曲げたとき等に外向部分６０が基礎部２０から離れることにともない外向部分６０に大きなたわみが生じることが抑制される。
【００９９】
（その他の実施形態）
本発明の実施態様は上記実施形態に限られるものではなく、例えば以下に示すように変更することもできる。また以下の各変形例は、上記実施形態についてのみ適用されるものではなく、異なる変形例同士を互いに組み合わせて実施することもできる。
【０１００】
・上記実施形態では、大腿背面の膝上付近と対応する背面中間部分７０Ａを通過するように背面部分７０を構成しているが、背面部分７０の構成を次のように変更することもできる。なお、この場合には、内向部分５０の下側縁５２および外向部分６０の下側縁６２の位置が背面部分７０の位置に応じて上方または下方に変更される。
（Ａ）大腿背面において膝と対応する部分を通過するように背面部分７０を構成する。
（Ｂ）大腿背面において上記実施形態の背面中間部分７０Ａと大腿付け根との間に対応する部分を通過するように背面部分７０を構成する。
【０１０１】
・上記実施形態では、内向部分５０の内縦縁５３の全体が基礎部２０から独立しているが、内縦縁５３の少なくとも一部が基礎部２０に縫い付けられた構成に変更することもできる。
【０１０２】
・上記実施形態では、内向部分５０の外縦縁５４の全体が基礎部２０から独立しているが、外縦縁５４の少なくとも一部が基礎部２０に縫い付けられた構成に変更することもできる。
【０１０３】
・上記実施形態では、外向部分６０の縫付部分６６を除く内縦縁６３の全体が基礎部２０から独立しているが、内縦縁６３のその他の部分の少なくとも一部が基礎部２０に縫い付けられた構成に変更することもできる。
【０１０４】
・上記実施形態では、外向部分６０の縫付部分６６を除く外縦縁６４の全体が基礎部２０から独立しているが、外縦縁６４のその他の部分の少なくとも一部が基礎部２０に縫い付けられた構成に変更することもできる。
【０１０５】
・上記実施形態では、外向部分６０の内縦縁６３において縫付部分６６が基礎部２０に縫い付けられているが、縫付部分６６が基礎部２０から独立した構成、すなわち内縦縁６３の全体が基礎部２０から独立した構成に変更することもできる。
【０１０６】
・上記実施形態では、外向部分６０の外縦縁６４において縫付部分６６が基礎部２０に縫い付けられているが、縫付部分６６が基礎部２０から独立した構成、すなわち外縦縁６４の全体が基礎部２０から独立した構成に変更することもできる。
【０１０７】
・上記実施形態では、交差部分４１において内向部分５０と外向部分６０とを互いに縫い合わせているが、この縫い合わせを省略し、交差部分４１において内向部分５０と外向部分６０とが互いに独立した構成に変更することもできる。
【０１０８】
・上記実施形態では、背面部分７０の縁の全体が基礎部２０に縫い付けられているが、背面部分７０の縁の少なくとも一部が基礎部２０から独立した構成に変更することもできる。
【０１０９】
・上記実施形態では、背面部２２の裏側に背面部分７０が設けられているが、背面部２２の表側に背面部分７０が設けられた構成に変更することもできる。
・上記実施形態では、内向全体長さＬＭ１を第１基準長さＬＭＸよりも小さくしているが、内向全体長さＬＭ１を第１基準長さＬＭＸと同じ大きさにすること、または内向全体長さＬＭ１を第１基準長さＬＭＸよりも大きくすることもできる。
【０１１０】
・上記実施形態では、外向全体長さＬＮ１を第２基準長さＬＮＸよりも小さくしているが、外向全体長さＬＮ１を第２基準長さＬＮＸと同じ大きさにすること、または外向全体長さＬＮ１を第２基準長さＬＮＸよりも大きくすることもできる。
【０１１１】
・上記実施形態では、ボトム１０に腹当部３０が設けられているが、ボトム１０から腹当部３０が省略された構成に変更することもできる。
・上記実施形態では、腹当部３０が２枚の生地により構成されているが、１枚の生地により構成される腹当部３０を用いることもできる。
【０１１２】
・上記実施形態では、補助部４０の素材として強緊締力生地が用いられているが、パワー生地、ゴム、または紐を補助部４０の素材として用いることもできる。
・上記実施形態では、着用者が運動補助着１を着用したときに内向部分５０および外向部分６０に生じる張力が実質的に同じ大きさとなるように補助部４０が構成されているが、補助部４０の構成を次のように変更することもできる。
（Ａ）着用時の内向部分５０の張力を外向部分６０の張力よりも大きくする。
（Ｂ）着用時の外向部分６０の張力を内向部分５０の張力よりも大きくする。
【０１１３】
上記の（Ａ）および（Ｂ）のいずれの構成においても、内向部分５０の張力と外向部分６０の張力との差が所定範囲内に収められるように補助部４０を構成することにより、歩行時に大腿が内側または外側に振れることを抑制する効果が得られる。
【０１１４】
・上記実施形態では、内向部分５０の上側縁５１について幅方向の位置が下腹部の側面と対応する部分に設定されているが、内向部分５０の上側縁５１の形成位置を次のように変更することもできる。
（Ａ）上側縁５１を大腿背面と対応する部分に設ける。
（Ｂ）上側縁５１を大腿正面と対応する部分に設ける。
【０１１５】
・上記実施形態では、内向部分５０の上側縁５１について高さ方向の位置がウエストよりも下方と対応する部分に設定されているが、内向部分５０の上側縁５１の形成位置を次のように変更することもできる。
（Ａ）上側縁５１をウエストと対応する部分に設ける。なお、この場合の構成の一例としては、例えば外向部分６０の上側縁６１に準じた態様で内向部分５０の上側縁５１をウエスト部１１に縫い付ける構成が挙げられる。
（Ｂ）上側縁５１をウエストよりも上方に設ける。なお、この場合にはボトム１０の上縁がウエストよりも上方に設けられる。
【０１１６】
・上記実施形態では、外向部分６０の上側縁６１について高さ方向の位置がウエストと対応する部分に設定されているが、外向部分６０の上側縁６１の形成位置を次のように変更することもできる。
（Ａ）上側縁６１をウエストよりも下方かつ大腿の付け根よりも上方と対応する部分に設ける。
（Ｂ）上側縁６１をウエストよりも上方に設ける。なお、この場合にはボトム１０の上縁がウエストよりも上方に設けられる。
【０１１７】
・上記実施形態では、大腿の幅方向の中間かつ大腿正面の付け根の部分に対応して交差部分４１が設けられているが、交差部分４１の形成位置を次のように変更することもできる。
（Ａ）幅方向の形成位置を右半身または左半身の幅方向の中間部分よりも内側にする。
（Ｂ）幅方向の形成位置を右半身または左半身の幅方向の中間部分よりも外側にする。
（Ｃ）高さ方向の形成位置を下腹部正面と対応する部分にする。
（Ｄ）高さ方向の形成位置を大腿上部の正面と対応する部分にする。
（Ｅ）高さ方向の形成位置を大腿下部の正面と対応する部分にする。
【０１１８】
・上記実施形態では、補助部４０として内向部分５０および外向部分６０がそれぞれ別の強緊締力生地により構成されたものが設けられているが、補助部４０の構成を次のように変更することもできる。すなわち、同実施形態の内向部分５０および外向部分６０の形状に対応した１枚のＸ字形状の強緊締力生地と背面部分７０とを互いに縫い合わせて補助部を構成することもできる。
【０１１９】
・上記実施形態では、ボトム１０に補助部４０が縫い付けられる構成を用いているが、すなわちボトム１０単独で大腿が覆われるように運動補助着１を構成しているが、補助部４０をボトム１０の一部として用いることもできる。すなわち、上記実施形態の基礎部２０に代わる基礎部として、基礎部２０から補助部４０に対応する部分が省略された形状のものを用いる。そして、この基礎部の縁と補助部４０の縁とを互いに縫い合わせることにより運動補助着１を構成する。
【０１２０】
・上記実施形態では、下着としての運動補助着１に対して本発明を適用した構成を例示しているが、スポーツ用の被服および日常着に本発明を適用することもできる。また、サポーターとして本発明を実施することもできる。サポーターとしての運動補助着の構成の一例としては、例えば上記実施形態の運動補助着１から基礎部２０および腹当部３０が省略され、かつウエスト部１１および補助部４０により構成されるものが挙げられる。
【符号の説明】
【０１２１】
１…運動補助着、１０…ボトム、１１…ウエスト部、１２…股布、２０…基礎部、２１…正面部、２２…背面部、２３…上側縁、２４…内側縁、２５…外側縁、２６…中間縁、３０…腹当部、３１…上側縁、３２…下側縁、３３…外縦縁、３４…中間縁、４０…補助部、４１…交差部分、５０…内向部分、５０Ｘ…内向始点部分、５０Ｙ…内向終点部分、５０Ａ…内向第１部分、５０Ｂ…内向第２部分、５０Ｃ…内向第３部分、５１…上側縁、５２…下側縁、５３…内縦縁、５４…外縦縁、５５…交差縁、６０…外向部分、６０Ｘ…外向始点部分、６０Ｙ…外向終点部分、６０Ａ…外向第１部分、６０Ｂ…外向第２部分、６０Ｃ…外向第３部分、６１…上側縁、６２…下側縁、６３…内縦縁、６４…外縦縁、６５…交差縁、６６…縫付部分、７０…背面部分、７０Ａ…背面中間部分、７１…上側縁、７２…下側縁、７３…内縦縁、７４…外縦縁。
【図１】
2012214935.tif 000003
【図２】
2012214935.tif 000004
【図３】
2012214935.tif 000005
【図４】
2012214935.tif 000006
【図５】
2012214935.tif 000007
【手続補正書】
【提出日】平成23年9月12日(2011.9.12)
【手続補正１】
【補正対象書類名】特許請求の範囲
【補正対象項目名】請求項１
【補正方法】変更
【補正の内容】
【請求項１】
歩行を補助する運動補助着において、
大腿の動作を補助する補助部が設けられていること、
この補助部に内向部分、外向部分、および背面部分が設けられていること、
前記内向部分が部分Ａから部分Ｂを介して部分Ｃまでにわたり設けられていること、
前記外向部分が部分Ｄから部分Ｅを介して部分Ｆまでにわたり設けられていること、
前記背面部分が部分Ｃから部分Ｇを介して部分Ｆまでにわたり設けられていること、
前記部分Ａ〜前記部分Ｇがそれぞれ以下の（ａ）〜（ｇ）により規定されること、
（ａ）前記部分Ａは、大腿正面の付け根よりも上方に対応する部分
（ｂ）前記部分Ｂは、大腿正面の付け根に対応する部分
（ｃ）前記部分Ｃは、大腿下部の内側の部分に対応する部分
（ｄ）前記部分Ｄは、大腿正面の付け根よりも上方に対応しかつ前記部分Ａとは別の部分（ｅ）前記部分Ｅは、大腿正面の付け根に対応する部分
（ｆ）前記部分Ｆは、大腿下部の外側の部分に対応する部分
（ｇ）前記部分Ｇは、大腿背面に対応する部分
ならびに、前記内向部分と前記外向部分とが互いに交差する部分を交差部分として、正面においてウエストから大腿下部までの少なくとも一部分に対応してこの交差部分が設けられていること
を特徴とする歩行を補助する運動補助着。
【手続補正２】
【補正対象書類名】明細書
【補正対象項目名】０００７
【補正方法】変更
【補正の内容】
【０００７】
上記目的を達成するための手段を以下に記載する。
（１）歩行を補助する運動補助着において、
大腿の動作を補助する補助部が設けられていること、
この補助部に内向部分、外向部分、および背面部分が設けられていること、
前記内向部分が部分Ａから部分Ｂを介して部分Ｃまでにわたり設けられていること、
前記外向部分が部分Ｄから部分Ｅを介して部分Ｆまでにわたり設けられていること、
前記背面部分が部分Ｃから部分Ｇを介して部分Ｆまでにわたり設けられていること、
前記部分Ａ〜前記部分Ｇがそれぞれ以下の（ａ）〜（ｇ）により規定されること、
（ａ）前記部分Ａは、大腿正面の付け根よりも上方に対応する部分
（ｂ）前記部分Ｂは、大腿正面の付け根に対応する部分
（ｃ）前記部分Ｃは、大腿下部の内側の部分に対応する部分
（ｄ）前記部分Ｄは、大腿正面の付け根よりも上方に対応しかつ前記部分Ａとは別の部分（ｅ）前記部分Ｅは、大腿正面の付け根に対応する部分
（ｆ）前記部分Ｆは、大腿下部の外側の部分に対応する部分
（ｇ）前記部分Ｇは、大腿背面に対応する部分
ならびに、前記内向部分と前記外向部分とが互いに交差する部分を交差部分として、正面においてウエストから大腿下部までの少なくとも一部分に対応してこの交差部分が設けられていることを要旨としている。